(57)【要約】【課題】  通信システムのリソースの無駄な消費及び通信コストの浪費を抑えることができる通信システム及び通信機器装置を提供することを目的とする。【解決手段】  携帯電話機１０，２０は基地局Ｂを介して互いに通信を行う。携帯電話機１０は、通信を行う携帯電話機（例えば、携帯電話機２０）が、周辺に位置するか否かを判断し、周辺に位置すると判断した場合に携帯電話機２０との間の通信を規制する。携帯電話機１０は、例えばＲＦＩＤ（Radio Frequency-IDentification：電波方式認識）機能を用いて携帯電話機２０のＩＤ情報が受信可能なＩＤ情報受信可能領域Ｒ内に携帯電話機２０が位置しているか否かにより携帯電話機２０が周辺に位置しているか否かを判断する。また、通信の規制は、携帯電話機２０への発信を行う場合、又は携帯電話機２０からの着信があった場合に行う。【選択図】  図１
2006319795.tif 000002
【特許請求の範囲】
【請求項１】
基地局を介して複数の通信機器装置の間で通信を行う通信システムにおいて、
前記通信を行う前記複数の通信機器装置が互いに周辺に位置するか否かを判断する位置判断手段と、
前記位置判断手段により前記複数の通信機器装置が互いに周辺に位置すると判断された場合に、前記複数の通信機器装置間の通信を規制する通信規制手段と
を備えることを特徴とする通信システム。
【請求項２】
前記位置判断手段は、前記通信を行う前記複数の通信機器装置間の距離を検出する距離検出手段を備え、当該距離検出手段で検出される距離が所定値以下である場合に、前記複数の通信機器装置が互いに周辺に位置すると判断することを特徴とする請求項１記載の通信システム。
【請求項３】
前記位置判断手段は、前記通信を行う前記複数の通信機器装置のうちの少なくとも１つの通信機器装置の固有情報である通信機器固有情報を取得する通信機器固有情報取得手段と、
前記少なくとも１つの通信機器装置と前記通信を行う通信機器装置の周辺に位置する周辺通信機器装置の固有情報である周辺機器固有情報を取得する周辺機器固有情報取得手段とを備え、
前記通信機器固有情報取得手段にて取得された前記通信機器固有情報と、前記周辺機器固有情報取得手段にて取得された前記周辺機器固有情報とを比較し、当該比較結果に基づいて前記複数の通信機器装置が互いに周辺に位置するか否かを判断することを特徴とする請求項１記載の通信システム。
【請求項４】
前記通信機器装置は、自身の固有情報を発信する固有情報発信手段を備え、
前記周辺機器固有情報取得手段は、前記周辺通信機器装置の前記固有情報発信手段から発信される前記固有情報を受信する固有情報受信手段を有し、当該固有情報受信手段にて受信された前記通信機器装置の前記固有情報を前記周辺機器固有情報として取得し、
前記位置判断手段は、前記通信機器固有情報取得手段にて取得された前記通信機器固有情報が、前記周辺機器固有情報取得手段にて取得された前記周辺機器固有情報に含まれる場合に、前記通信を行う前記複数の通信機器装置が互いに周辺に位置すると判断する
ことを特徴とする請求項３記載の通信システム。
【請求項５】
前記通信規制手段は、前記通信を行う前記複数の通信機器装置のうち、前記位置判断手段にて互いに周辺に位置すると判断された前記通信機器装置間の通信を規制することを特徴とする請求項１から請求項４の何れか一項に記載の通信システム。
【請求項６】
前記位置判断手段は、前記複数の通信機器装置のうちの一の通信機器装置が他の通信機器装置への発信を要求した場合に、前記他の通信機器装置が前記一の通信機器装置の周辺に位置するか否かを判断し、
前記通信規制手段は、前記位置判断手段により前記他の通信機器装置が前記一の通信機器装置の周辺に位置すると判断された場合に、前記一の通信機器装置から前記他の通信機器装置への発信を規制する
ことを特徴とする請求項１から請求項５の何れか一項に記載の通信システム。
【請求項７】
前記一の通信機器装置が前記他の通信機器装置への発信を要求する場合に、
前記通信規制手段は、前記位置判断手段にて前記他の通信機器装置のうちの前記一の通信機器装置の周辺に位置すると判断された通信機器装置への発信を規制し、前記他の通信機器装置のうちの前記一の通信機器装置の周辺に位置しないと判断された通信機器装置への発信を許可することを特徴とする請求項６記載の通信システム。
【請求項８】
前記一の通信機器装置が前記他の通信機器装置への発信を要求する場合に、
前記通信規制手段は、前記位置判断手段にて前記他の通信機器装置のうちの前記一の通信機器装置の周辺に位置すると判断された通信機器装置よりも、前記他の通信機器装置のうちの前記一の通信機器装置の周辺に位置しないと判断された通信機器装置への発信を優先的に行うことを特徴とする請求項６記載の通信システム。
【請求項９】
前記位置判断手段は、前記複数の通信機器装置のうちの一の通信機器装置が他の通信機器装置からの着信を要求された場合に、前記他の通信機器装置が前記一の周辺機器装置の周辺に位置するか否かを判断し、
前記通信規制手段は、前記位置判断手段により前記他の通信機器装置が前記一の通信機器装置の周辺に位置すると判断された場合に、前記一の通信機器装置における前記他の通信機器装置からの着信を規制する
ことを特徴とする請求項１から請求項８の何れか一項に記載の通信システム。
【請求項１０】
前記通信規制手段は、前記通信を行う前記複数の通信機器装置が前記位置判断手段にて互いに周辺に位置すると判断された場合に、前記通信規制を行うか否かを選択する通信規制選択手段を備え、当該通信規制選択手段にて前記通信規制を行う旨選択された場合にのみ前記通信規制を行うことを特徴とする請求項１から請求項９の何れか一項に記載の通信システム。
【請求項１１】
前記複数の通信機器装置は、前記通信規制手段にて前記複数の通信機器装置間での通信が規制された場合に、当該通信規制が行われる旨を報知する報知手段を備えることを特徴とする請求項１から請求項１０の何れか一項に記載の通信システム。
【請求項１２】
前記報知手段は、前記複数の通信機器装置に設けられて、前記位置判断手段の判断結果に基づいて前記通信を行う前記複数の通信機器装置が周辺に位置するか否かを報知する位置判断報知手段を備えることを特徴とする請求項１１記載の通信システム。
【請求項１３】
前記報知手段は、前記複数の通信機器装置に設けられて、前記複数の通信機器装置のうち前記通信規制手段にて前記通信規制が行われる通信機器装置の位置情報を取得する位置情報取得手段と、
前記位置情報取得手段にて取得された前記通信規制が行われる通信機器装置の前記位置情報を報知する位置情報報知手段と
を備えることを特徴とする請求項１１又は請求項１２記載の通信システム。
【請求項１４】
前記通信規制手段は、前記複数の通信機器装置間で行われる通信を種別する通信種別手段を備え、当該通信種別手段で種別された通信が所定の通信である場合に前記通信を規制することを特徴とする請求項１から請求項１３の何れか一項に記載の通信システム。
【請求項１５】
基地局を介して他の通信機器装置との間で通信を行う通信手段を備える通信機器装置において、
前記通信手段にて前記通信を行う前記他の通信機器装置が周辺に位置するか否かを判断する位置判断手段と、
前記通信手段にて前記通信を行う前記他の通信機器装置が周辺に位置すると前記位置判断手段により判断された場合に、前記通信手段による前記他の通信機器装置との間の通信を規制する通信規制手段と
を備えることを特徴とする通信機器装置。
【請求項１６】
前記位置判断手段は、前記通信手段にて前記通信を行う前記他の通信機器装置との間の距離を検出する距離検出手段を備え、当該距離検出手段で検出される距離が所定値以下である場合に、前記他の通信機器装置が周辺に位置すると判断することを特徴とする請求項１５記載の通信機器装置。
【請求項１７】
前記通信手段によって前記通信を行う前記他の通信機器装置の固有情報である通信機器固有情報を取得する通信機器固有情報取得手段と、
周辺に位置する周辺通信機器装置の固有情報である周辺機器固有情報を取得する周辺機器固有情報取得手段とを備え、
前記位置判断手段は、前記通信機器固有情報取得手段にて取得された前記通信機器固有情報と、前記周辺機器固有情報取得手段にて取得された前記周辺機器固有情報とを比較し、当該比較結果に基づいて前記通信手段にて前記通信を行う前記他の通信機器装置が周辺に位置するか否かを判断することを特徴とする請求項１５記載の通信機器装置。
【請求項１８】
前記周辺機器固有情報取得手段は、前記周辺通信機器装置から発信される固有情報を受信する固有情報受信手段を有し、当該固有情報受信手段にて受信された前記通信機器装置の前記固有情報を前記周辺機器固有情報として取得し、
前記位置判断手段は、前記通信機器固有情報取得手段にて取得された前記通信機器固有情報が、前記周辺機器固有情報取得手段にて取得された前記周辺機器固有情報に含まれる場合に、前記通信を行う前記他の通信機器装置が周辺に位置すると判断する
ことを特徴とする請求項１７記載の通信機器装置。
【請求項１９】
前記位置判断手段は、前記通信手段が前記他の通信機器装置への発信を要求した場合に、前記他の通信機器装置が周辺に位置するか否かを判断し、
前記通信規制手段は、前記位置判断手段により前記他の通信機器装置が周辺に位置すると判断された場合に、前記通信手段による前記他の通信機器装置への発信を規制する
ことを特徴とする請求項１５から請求項１８の何れか一項に記載の通信機器装置。
【請求項２０】
前記通信手段が他の複数の通信機器装置への発信を要求する場合に、
前記通信規制手段は、前記位置判断手段にて前記他の複数の通信機器装置のうちの周辺に位置すると判断された通信機器装置への発信を規制し、前記他の複数の通信機器装置のうちの周辺に位置しないと判断された通信機器装置への発信を許可することを特徴とする請求項１９記載の通信機器装置。
【請求項２１】
前記通信手段が他の複数の通信機器装置への発信を要求する場合に、
前記通信規制手段は、前記位置判断手段にて前記他の複数の通信機器装置のうちの周辺に位置すると判断された通信機器装置よりも、前記他の複数の通信機器装置のうちの周辺に位置しないと判断された通信機器装置への発信を優先的に行うことを特徴とする請求項１９記載の通信機器装置。
【請求項２２】
前記位置判断手段は、前記通信手段が前記他の通信機器装置からの着信を受けた場合に、前記他の通信機器装置が周辺に位置するか否かを判断し、
前記通信規制手段は、前記位置判断手段により前記他の通信機器装置が周辺に位置すると判断された場合に、前記通信手段による前記他の通信機器装置からの着信を規制する
ことを特徴とする請求項１５から請求項２１の何れか一項に記載の通信機器装置。
【請求項２３】
前記通信規制手段は、前記通信手段にて通信を行う前記他の通信機器装置が前記位置判断手段にて周辺に位置すると判断された場合に、前記通信規制を行うか否かを選択する通信規制選択手段を備え、当該通信規制選択手段にて前記通信規制を行う旨選択された場合にのみ前記通信規制を行うことを特徴とする請求項１５から請求項２２の何れか一項に記載の通信機器装置。
【請求項２４】
前記通信規制手段にて前記通信手段による通信が規制された場合に、当該通信規制が行われる旨を報知する報知手段を備えることを特徴とする請求項１５から請求項２３の何れか一項に記載の通信機器装置。
【請求項２５】
前記通信規制手段は、前記通信手段で行われる通信を種別する通信種別手段を備え、当該通信種別手段で種別された通信が所定の通信である場合に前記通信を規制することを特徴とする請求項１５から請求項２４の何れか一項に記載の通信機器装置。
【発明の詳細な説明】
【技術分野】
【０００１】
本発明は、携帯電話機等の複数の通信機器装置が基地局を介して通信可能な通信システム、及び通信機器装置に関する。
【背景技術】
【０００２】
従来の通信システムにおいて、携帯電話機、ＰＨＳ（Personal Handyphone System）、その他の通信機器装置の間の通信（通話、メールの送受信等）は、通信が行われる通信機器装置間の距離に拘わらず基本的に基地局を介して行われる。このため、通信が行われる通信機器装置が近距離（例えば、数十メートル程度の距離）に位置している状況下においても基地局を介した通信が行われる。これは通信システムのリソースが無駄に消費されているとともに、通信コストが浪費されていると考えられる。
【０００３】
以下の特許文献１には、通信相手の通信機器装置との間のデータ送受信時間及び送受信されたデータ量を計測し、これらの計測結果からデータ送受信時のスループット量を計算し、この計算結果が所定の条件を満たすときにフロー制御を行うことで、ネットワークのリソースを最大限に活用する技術が開示されている。
【特許文献１】特開平１０−１４９３３２４号公報
【発明の開示】
【発明が解決しようとする課題】
【０００４】
ところで、上記の特許文献１に開示された技術においては、通信機器装置間で送受信されるデータの送受信時のスループット量に応じたフロー制御により、ネットワークのリソースが有効に利用することができるものの、通信が行われる通信機器装置が近距離に位置しており、基地局を介した通信機器装置間の通信を行うまでもない状況下においても基地局を介した通信が行われている。このため、依然として通信システムのリソースが無駄に消費されており、また通信コストが浪費されている状況にあると考えられる。
【０００５】
本発明は、上記事情に鑑みてなされたものであり、通信システムのリソースの無駄な消費及び通信コストの浪費を抑えることができる通信システム及び通信機器装置を提供することを目的とする。
【課題を解決するための手段】
【０００６】
上記課題を解決するために、本発明の通信システムは、基地局を介して複数の通信機器装置の間で通信を行う通信システムにおいて、前記通信を行う前記複数の通信機器装置が互いに周辺に位置するか否かを判断する位置判断手段と、前記位置判断手段により前記複数の通信機器装置が互いに周辺に位置すると判断された場合に、前記複数の通信機器装置間の通信を規制する通信規制手段とを備えることを特徴としている。
ここで、本発明の通信システムは、前記位置判断手段が、前記通信を行う前記複数の通信機器装置間の距離を検出する距離検出手段を備え、当該距離検出手段で検出される距離が所定値以下である場合に、前記複数の通信機器装置が互いに周辺に位置すると判断することを特徴としている。
また、本発明の通信システムは、前記位置判断手段が、前記通信を行う前記複数の通信機器装置のうちの少なくとも１つの通信機器装置の固有情報である通信機器固有情報を取得する通信機器固有情報取得手段と、前記少なくとも１つの通信機器装置と前記通信を行う通信機器装置の周辺に位置する周辺通信機器装置の固有情報である周辺機器固有情報を取得する周辺機器固有情報取得手段とを備え、前記通信機器固有情報取得手段にて取得された前記通信機器固有情報と、前記周辺機器固有情報取得手段にて取得された前記周辺機器固有情報とを比較し、当該比較結果に基づいて前記複数の通信機器装置が互いに周辺に位置するか否かを判断することを特徴としている。
また、本発明の通信システムは、前記通信機器装置が、自身の固有情報を発信する固有情報発信手段を備え、前記周辺機器固有情報取得手段は、前記周辺通信機器装置の前記固有情報発信手段から発信される前記固有情報を受信する固有情報受信手段を有し、当該固有情報受信手段にて受信された前記通信機器装置の前記固有情報を前記周辺機器固有情報として取得し、前記位置判断手段は、前記通信機器固有情報取得手段にて取得された前記通信機器固有情報が、前記周辺機器固有情報取得手段にて取得された前記周辺機器固有情報に含まれる場合に、前記通信を行う前記複数の通信機器装置が互いに周辺に位置すると判断することを特徴としている。
また、本発明の通信システムは、前記通信規制手段が、前記通信を行う前記複数の通信機器装置のうち、前記位置判断手段にて互いに周辺に位置すると判断された前記通信機器装置間の通信を規制することを特徴としている。
また、本発明の通信システムは、前記位置判断手段が、前記複数の通信機器装置のうちの一の通信機器装置が他の通信機器装置への発信を要求した場合に、前記他の通信機器装置が前記一の通信機器装置の周辺に位置するか否かを判断し、前記通信規制手段は、前記位置判断手段により前記他の通信機器装置が前記一の通信機器装置の周辺に位置すると判断された場合に、前記一の通信機器装置から前記他の通信機器装置への発信を規制することを特徴としている。
ここで、本発明の通信システムは、前記一の通信機器装置が前記他の通信機器装置への発信を要求する場合に、前記通信規制手段は、前記位置判断手段にて前記他の通信機器装置のうちの前記一の通信機器装置の周辺に位置すると判断された通信機器装置への発信を規制し、前記他の通信機器装置のうちの前記一の通信機器装置の周辺に位置しないと判断された通信機器装置への発信を許可することを特徴としている。
或いは、本発明の通信システムは、前記一の通信機器装置が前記他の通信機器装置への発信を要求する場合に、前記通信規制手段は、前記位置判断手段にて前記他の通信機器装置のうちの前記一の通信機器装置の周辺に位置すると判断された通信機器装置よりも、前記他の通信機器装置のうちの前記一の通信機器装置の周辺に位置しないと判断された通信機器装置への発信を優先的に行うことを特徴としている。
また、本発明の通信システムは、前記位置判断手段が、前記複数の通信機器装置のうちの一の通信機器装置が他の通信機器装置からの着信を要求された場合に、前記他の通信機器装置が前記一の周辺機器装置の周辺に位置するか否かを判断し、前記通信規制手段は、前記位置判断手段により前記他の通信機器装置が前記一の通信機器装置の周辺に位置すると判断された場合に、前記一の通信機器装置における前記他の通信機器装置からの着信を規制することを特徴としている。
また、本発明の通信システムは、前記通信規制手段が、前記通信を行う前記複数の通信機器装置が前記位置判断手段にて互いに周辺に位置すると判断された場合に、前記通信規制を行うか否かを選択する通信規制選択手段を備え、当該通信規制選択手段にて前記通信規制を行う旨選択された場合にのみ前記通信規制を行うことを特徴としている。
また、本発明の通信システムは、前記複数の通信機器装置が、前記通信規制手段にて前記複数の通信機器装置間での通信が規制された場合に、当該通信規制が行われる旨を報知する報知手段を備えることを特徴としている。
ここで、本発明の通信システムは、前記報知手段が、前記複数の通信機器装置に設けられて、前記位置判断手段の判断結果に基づいて前記通信を行う前記複数の通信機器装置が周辺に位置するか否かを報知する位置判断報知手段を備えることを特徴としている。
更に、本発明の通信システムは、前記報知手段が、前記複数の通信機器装置に設けられて、前記複数の通信機器装置のうち前記通信規制手段にて前記通信規制が行われる通信機器装置の位置情報を取得する位置情報取得手段と、前記位置情報取得手段にて取得された前記通信規制が行われる通信機器装置の前記位置情報を報知する位置情報報知手段とを備えることを特徴としている。
また、本発明の通信システムは、前記通信規制手段が、前記複数の通信機器装置間で行われる通信を種別する通信種別手段を備え、当該通信種別手段で種別された通信が所定の通信である場合に前記通信を規制することを特徴としている。
上記課題を解決するために、本発明の通信機器装置は、基地局を介して他の通信機器装置との間で通信を行う通信手段を備える通信機器装置において、前記通信手段にて前記通信を行う前記他の通信機器装置が周辺に位置するか否かを判断する位置判断手段と、前記通信手段にて前記通信を行う前記他の通信機器装置が周辺に位置すると前記位置判断手段により判断された場合に、前記通信手段による前記他の通信機器装置との間の通信を規制する通信規制手段とを備えることを特徴としている。
ここで、本発明の通信機器装置は、前記位置判断手段が、前記通信手段にて前記通信を行う前記他の通信機器装置との間の距離を検出する距離検出手段を備え、当該距離検出手段で検出される距離が所定値以下である場合に、前記他の通信機器装置が周辺に位置すると判断することを特徴としている。
また、本発明の通信機器装置は、前記通信手段によって前記通信を行う前記他の通信機器装置の固有情報である通信機器固有情報を取得する通信機器固有情報取得手段と、周辺に位置する周辺通信機器装置の固有情報である周辺機器固有情報を取得する周辺機器固有情報取得手段とを備え、前記位置判断手段は、前記通信機器固有情報取得手段にて取得された前記通信機器固有情報と、前記周辺機器固有情報取得手段にて取得された前記周辺機器固有情報とを比較し、当該比較結果に基づいて前記通信手段にて前記通信を行う前記他の通信機器装置が周辺に位置するか否かを判断することを特徴としている。
また、本発明の通信機器装置は、前記周辺機器固有情報取得手段が、前記周辺通信機器装置から発信される固有情報を受信する固有情報受信手段を有し、当該固有情報受信手段にて受信された前記通信機器装置の前記固有情報を前記周辺機器固有情報として取得し、前記位置判断手段は、前記通信機器固有情報取得手段にて取得された前記通信機器固有情報が、前記周辺機器固有情報取得手段にて取得された前記周辺機器固有情報に含まれる場合に、前記通信を行う前記他の通信機器装置が周辺に位置すると判断することを特徴としている。
また、本発明の通信機器装置は、前記位置判断手段が、前記通信手段が前記他の通信機器装置への発信を要求した場合に、前記他の通信機器装置が周辺に位置するか否かを判断し、前記通信規制手段は、前記位置判断手段により前記他の通信機器装置が周辺に位置すると判断された場合に、前記通信手段による前記他の通信機器装置への発信を規制することを特徴としている。
ここで、本発明の通信機器装置は、前記通信手段が他の複数の通信機器装置への発信を要求する場合に、前記通信規制手段は、前記位置判断手段にて前記他の複数の通信機器装置のうちの周辺に位置すると判断された通信機器装置への発信を規制し、前記他の複数の通信機器装置のうちの周辺に位置しないと判断された通信機器装置への発信を許可することを特徴としている。
或いは、本発明の通信機器装置は、前記通信手段が他の複数の通信機器装置への発信を要求する場合に、前記通信規制手段は、前記位置判断手段にて前記他の複数の通信機器装置のうちの周辺に位置すると判断された通信機器装置よりも、前記他の複数の通信機器装置のうちの周辺に位置しないと判断された通信機器装置への発信を優先的に行うことを特徴としている。
また、本発明の通信機器装置は、前記位置判断手段が、前記通信手段が前記他の通信機器装置からの着信を受けた場合に、前記他の通信機器装置が周辺に位置するか否かを判断し、前記通信規制手段は、前記位置判断手段により前記他の通信機器装置が周辺に位置すると判断された場合に、前記通信手段による前記他の通信機器装置からの着信を規制することを特徴としている。
また、本発明の通信機器装置は、前記通信規制手段が、前記通信手段にて通信を行う前記他の通信機器装置が前記位置判断手段にて周辺に位置すると判断された場合に、前記通信規制を行うか否かを選択する通信規制選択手段を備え、当該通信規制選択手段にて前記通信規制を行う旨選択された場合にのみ前記通信規制を行うことを特徴としている。
また、本発明の通信機器装置は、前記通信規制手段にて前記通信手段による通信が規制された場合に、当該通信規制が行われる旨を報知する報知手段を備えることを特徴としている。
更に、本発明の通信機器装置は、前記通信規制手段が、前記通信手段で行われる通信を種別する通信種別手段を備え、当該通信種別手段で種別された通信が所定の通信である場合に前記通信を規制することを特徴としている。
【発明の効果】
【０００７】
本発明によれば、互いに通信を行う通信機器装置が周辺に位置するか否かを判断し、これらが周辺に位置すると判断した場合には、基地局を介した通信機器装置間の通信が規制されるため、通信システムのリソースの無駄な消費及び通信コストの浪費を抑えることができる。
【発明を実施するための最良の形態】
【０００８】
以下、図面を参照して本発明の実施形態による通信システム及び通信機器装置について詳細に説明する。図１は、本発明の実施形態による通信システム及び通信機器装置の概略構成を示す図である。図１に示す通り、本実施形態の通信システムは、ネットワーク網Ｎに接続された基地局Ｂを含んで構成され、通信機器装置としての携帯電話機１０，２０は基地局Ｂを介して無線通信により通信を行う。
【０００９】
尚、図１においては図示を簡略化しているが、基地局Ｂは互いに所定の距離（例えば、数キロメートル）離間して複数設けられており、各々の基地局ＢはネットワークＮを介して相互に接続されている。また、図１においては、１つの基地局Ｂを介して携帯電話機１０，２０が無線通信により通信を行う様子を図示しているが、携帯電話機１０，２０が大きく離れて位置している場合（例えば、数キロメートル以上離間している場合）には、ネットワークＮに接続された基地局Ｂの少なくとも２つ（例えば、携帯電話機１０に最近接する基地局と携帯電話機２０に最近接する基地局）を介して通信を行う。
【００１０】
また、携帯電話機１０，２０は、基地局Ｂとの間での無線通信による通信以外に、周辺（数メートル〜数十メートル程度）に電波（質問電波）を発信するとともに、他の携帯電話機から発信された質問電波を受信したときに自機に割り当てられたＩＤ（識別子）情報を発信する。また、周辺に位置する携帯電話機から発信されるその携帯電話機に割り当てられたＩＤ情報を受信する。ここで、ＩＤ情報とは、携帯電話機１０，２０にそれぞれ予め割り当てられており、携帯電話機毎に一意に定まる固有情報である。
【００１１】
図１に示した領域Ｒは、携帯電話機１０から発信される質問電波を受信可能な領域であり、携帯電話機１０の周辺に位置する携帯電話機のＩＤ情報を受信可能な領域（以下、ＩＤ情報受信可能領域という）である。図１に示す通り、ＩＤ情報受信可能領域Ｒ内に携帯電話機１０以外の携帯電話機（携帯電話機２０）が位置している場合には、携帯電話機１０が質問電波を発信すると、携帯電話機２０のＩＤ情報を受信することができる。携帯電話機１０が発信する質問電波の出力を変化させることで、このＩＤ情報受信可能領域Ｒの大きさを可変することができる。尚、ＩＤ情報受信可能領域Ｒを可変することができる範囲は、例えば数メートルを単位として十数メートル程度の範囲である。また、質問電波を受信した携帯電話機は、発信するＩＤ情報が質問電波を発信した携帯電話機で確実に受信されるようにＩＤ情報を発信する。
【００１２】
尚、図１においては、携帯電話機１０が周辺の携帯電話機のＩＤ情報を受信可能なＩＤ情報受信可能領域Ｒを実線で図示しているが、他の携帯電話機（例えば、携帯電話機２０）についても同様のＩＤ情報受信可能領域Ｒ′が破線で図示されるように設定される。他の携帯電話機（例えば、携帯電話機２０）のＩＤ情報受信可能領域内に携帯電話機１０が位置している場合に、携帯電話機１０が他の携帯電話機からの質問電波を受信すると、携帯電話機１０は自機に割り当てられているＩＤ情報を発信する。
【００１３】
次に、携帯電話機１０，２０の構成について説明する。図２は、携帯電話機１０の要部構成を示すブロック図である。尚、携帯電話機１０と携帯電話機２０とは同様の構成であるため、ここでは携帯電話機１０の構成についてのみ説明し、携帯電話機２０の構成については説明を省略する。図２に示す通り、携帯電話機１０は、アンテナ１１、無線通信部１２、制御部１３、音声入出力部１４、記憶部１５、操作部１６、表示部１７、アンテナ１８、及びＲＦＩＤ（Radio Frequency-IDentification：電波方式認識）部１９等を含んで構成される。
【００１４】
アンテナ１１は、基地局Ｂからの電波を受信するとともに、基地局Ｂに向けて電波を送信する。無線通信部１２はアンテナ１１で受信された受信信号の検波、復調、周波数変換等を行って音声信号等の通信信号を制御部１３に出力するとともに、制御部１３から出力される音声信号等の通信信号の変調、周波数変換等を行って送信信号をアンテナ１１に出力する。
【００１５】
制御部１３は、無線通信部１２から出力される音声信号に対して所定の処理を施して音声入出力部１５に出力するとともに、音声入出力部１４から出力される音声信号に対して所定の処理を施して無線通信部１２に出力する。また、制御部１３は、詳細は後述するが、ＲＦＩＤ部１９から出力される信号に基づいて他の携帯電話機が周辺に位置するか否かを判断し、周辺に位置すると判断した場合には、基地局Ｂと携帯電話機１０との間で行われる通信を規制する。更に、制御部１３は、ＲＦＩＤ部１９を介した携帯電話機１０のＩＤ情報の発信、表示部１７の表示内容の制御等の各種制御を行う。
【００１６】
音声入出力部１４は、スピーカ部及びマイクロフォン部を含んで構成され、制御部１３から出力される音声信号をスピーカー部に出力して音声に変換するとともに、マイクロフォン部で変換された音声信号を制御部１３に出力する。記憶部１５は、携帯電話機１０に割り当てられたＩＤ情報、受信したメール、相手の電話番号及びメールアドレスからなるアドレス帳のデータ等を記憶する。尚、この記憶部１５は、取り外し不可能なメインメモリと取り外し可能な外部メモリとから構成されるのが好適である。
【００１７】
操作部１６は、通話キー、終話キー、テンキー、ソフトキー等の各種の操作キーを含んで構成され、ユーザによる操作内容に応じた信号を制御部１３に出力する。表示部１７は、液晶表示装置、有機ＥＬ表示装置等の表示装置を含んで構成され、制御部１３から出力される信号に基づいた表示を行う。例えば、ユーザが発信を行う場合には、ユーザが操作部１６を操作して入力した発信先の電話番号が表示部１７に表示され、着信があった場合には着信番号が表示部１７に表示され、メールの内容等が表示される。更に、制御部１３が、携帯電話機１０の周辺に他の携帯電話機が位置するか否かの判断を行った場合には、その判断結果が表示部１７に表示される。
【００１８】
アンテナ１８は、携帯電話機１０の周辺に質問電波を発信するとともに、周辺に位置する他の携帯電話機からこの質問電波に対する応答として発信されたＩＤ情報を受信してＲＦＩＤ部１９に出力する。また、アンテナ１８は、他の携帯電話機からの質問電波を受信してＲＦＩＤ部１９に出力するとともに、この質問電波に対する応答としてＲＦＩＤ部１９からＩＤ情報が出力された場合には、このＩＤ情報を電波に乗せて発信する。ＲＦＩＤ部１９は、制御部１３の制御の下で、質問電波の発信・受信、ＩＤ情報の発信・受信を行う。
【００１９】
次に、上記構成における本発明の通信システム及び通信機器装置の動作について説明する。本実施形態の通信システム及び通信機器装置は、発信時又は着信時に、発信先の相手方の携帯電話機が周辺に位置するか否か、又は自機に発信した携帯電話機が周辺に位置するか否かを判断する動作を行う。この動作は、１人（１つの通信機器装置）を相手として発信する場合の動作、着信があった場合の動作、及び複数人（複数の通信機器装置）を相手として発信する場合の動作に大別される。以下、これらの各場合の動作について順に説明する。
【００２０】
〔１人を相手として発信する場合の動作〕
図３は携帯電話機を用いて１人の相手に発信する場合に行われる処理を示すフローチャートであり、図４は１人の相手への発信時における携帯電話機の表示部の表示内容の遷移を示す図である。尚、以下の説明では、図１に示す通り携帯電話機１０を用いて携帯電話機２０に発信する場合を例に挙げて説明する。また、携帯電話機１０の周辺（数メートル〜数十メートル程度）には、携帯電話機２０が位置しているとする。
【００２１】
ユーザが携帯電話機１０の操作部１６に設けられたテンキーを操作して携帯電話機２０の電話番号を入力し、又はアドレス帳の機能を利用して携帯電話機２０のユーザ（電話番号）を特定すると、図４（ａ）に示す通り、携帯電話機１０の表示部１７には携帯電話機２０のユーザ名「UserA」及び発信ボタンＢ１が表示される。次に、ユーザが操作部１６に設けられた通話キーを押圧し、又はソフトキー等を操作して発信ボタンＢ１を押圧すると、通常は携帯電話機１０から基地局Ｂへの発信動作が行われる訳であるが、本実施形態では発信動作が一時的に規制される。
【００２２】
発信動作が一時的に規制されている状態で、制御部１３は、発信先の電話番号をキーとして記憶部１５を検索し、その電話番号に対応するＩＤ情報（通信機器固有情報）を取得する（ステップＳ１１）。尚、ここで取得されるＩＤ情報を、便宜上「ＩＤ情報Ａ」という。ＩＤ情報Ａを取得すると、制御部１３は、ＲＦＩＤ部１９を制御して、アンテナ１８を介して質問電波を周辺に発信し、携帯電話機１０の周辺に位置する携帯電話機（周辺通信機器装置）のＩＤ情報（周辺機器固有情報）を受信する（ステップＳ１２）。
【００２３】
尚、携帯電話機１０の周辺には複数の携帯電話機２０以外に他の携帯電話機が位置することもあるため、複数のＩＤ情報が受信されることがある。このため、ここで受信されるＩＤ情報を、便宜上「ＩＤ情報Ｂ群」という。ステップＳ１２の処理が行われている最中は、図４（ｂ）に示す通り、携帯電話機２０からのＩＤ情報を受信している旨を示す「UserA  受信中」なる表示が表示部１７においてなされる。
【００２４】
ステップＳ１２の処理が終了すると、制御部１３は、ステップＳ１１で取得したＩＤ情報Ａが、ステップＳ１２で受信したＩＤ情報Ｂ群に含まれるか否かを判断する（ステップＳ１３）。この判断結果が「ＮＯ」である場合（ＩＤ情報ＡがＩＤ情報Ｂ群に含まれない場合（携帯電話機２０のＩＤ情報が受信されなかった場合を含む））には、ユーザへＩＤ情報Ａが見つからなかった旨を通知する（ステップＳ１４）。例えば、図４（ｄ）に示す通り、表示部１７にＩＤ情報の受信結果として「UserAは見つかりませんでした」なる表示を行う。
【００２５】
かかる表示を一定時間（例えば、数秒）行うと、制御部１３は、ステップＳ１１の前に一時的に規制した発信動作を自動的に解除し、発信動作を開始する（ステップＳ１５）。発信動作が行われると、携帯電話機１０の表示部１７には、例えば図４（ｆ）に示す通り、「UserAを呼出中…」なる表示がなされる。発信動作が行われた後は、従来の携帯電話機と同様の処理（通話処理、切断処理等の処理）が行われる。尚、発信処理及び通話処理の終了後に、発信先のＩＤ情報が受信されたか否かの結果を発信履歴に追加しても良い。
【００２６】
一方、ステップＳ１３の判断結果が「ＹＥＳ」の場合、即ち携帯電話機１０の周辺（ＩＤ情報受信可能領域Ｒ）に携帯電話機２０が位置しており、携帯電話機２０のＩＤ情報を受信している場合には、制御部１３はユーザへＩＤ情報Ａが見つかった旨を通知する（ステップＳ１６）。例えば、図４（ｃ）に示す通り、表示部１７にＩＤ情報の受信結果として「UserAは見つかりました」なる表示を行い、通信相手である携帯電話機２０が周辺に位置することを報知する。また、かかる表示とともに、その相手への発信を行うか否かを確認する旨の「発信しますか？」なる表示と、「はい」ボタンＢ２及び「いいえ」ボタンＢ３とが表示される。
【００２７】
かかる表示を行うと、制御部１３は、ユーザによって「はい」ボタンＢ２及び「いいえ」ボタンＢ３の何れが押圧されたか否か、つまりＩＤ情報Ａを持つ携帯電話機２０に発信を行うか否かを判断する（ステップＳ１７）。ユーザによって「はい」ボタンＢ２が押圧されると、ステップＳ１７の判断結果は「ＹＥＳ」となり、制御部１３は、ステップＳ１１の前に一時的に規制した発信動作を自動的に解除し、発信動作を開始する（ステップＳ１５）。
【００２８】
発信動作が行われると、携帯電話機１０の表示部１７には、例えば図４（ｆ）に示す通り、「UserAを呼出中…」なる表示がなされる。発信動作が行われた後は、従来の携帯電話機と同様の処理（通話処理、切断処理等の処理）が行われる。尚、発信処理及び通話処理の終了後に、発信先のＩＤ情報が受信されたか否かの結果を発信履歴に追加しても良い。一方、ユーザによって「いいえ」ボタンＢ３が押圧されると、一時的に規制した発信動作が停止されて、携帯電話機１０の表示部１７には、図４（ｅ）に示す通り、通常の待ち受け画面が表示される。
【００２９】
このように、ステップＳ１３の判断結果が「ＹＥＳ」となり、携帯電話機１０と携帯電話機２０とが互いに周辺に位置している場合には、ステップＳ１１の前に行われた発信動作の一時的な規制が継続されることとなり、携帯電話機１０から周辺に位置する携帯電話機２０への発信が規制され、ステップＳ１３の判断結果が「ＮＯ」となり、携帯電話機１０と携帯電話機２０とが互いに周辺に位置していない場合には、ステップＳ１１の前に行われた発信動作の一時的な規制が解除されて、携帯電話機１０から周辺に位置する携帯電話機２０への発信が許可される。
【００３０】
そして、携帯電話機１０と携帯電話機２０とが互いに周辺に位置しており、携帯電話機１０から周辺に位置する携帯電話機２０への発信が規制される場合には、携帯電話機１０の表示部１７に「発信しますか？」との表示がなされることにより、携帯電話機１０の使用者へ発信規制（通信規制）が行われていることが報知される。また、携帯電話機１０の表示部１７に「発信しますか？」との表示がなされて、発信規制が行われる際に、「はい」ボタンＢ２又は「いいえ」ボタンＢ３の何れかを押圧することによって、発信規制（通信規制）を行う（継続する）のか否かを選択可能に構成されている。
【００３１】
〔着信があった場合の動作〕
図５は携帯電話機への着信時に行われる処理を示すフローチャートであり、図６は着信時における携帯電話機の表示部の表示内容の遷移を示す図である。尚、以下の説明では、図１に示す通り携帯電話機２０から携帯電話機１０への着信がある場合を例に挙げて説明する。また、携帯電話機１０の周辺（数メートル〜数十メートル程度）には、携帯電話機２０が位置しているとする。
【００３２】
携帯電話機２０から携帯電話機１０への着信がある前は、携帯電話機１０の表示部１７には、図６（ａ）に示す通り、通常の待ち受け画面が表示されている。携帯電話機２０から携帯電話機１０へ着信があると、携帯電話機１０の制御部１３は、着信元（携帯電話機２０）の電話番号を取得する（ステップＳ２１）。次いで、ステップＳ２１で取得した電話番号をキーとして記憶部１５を検索し、その電話番号に対応するＩＤ情報を取得する（ステップＳ２２）。尚、ここで取得されるＩＤ情報を、便宜上「ＩＤ情報Ａ」という。
【００３３】
ＩＤ情報Ａを取得すると、制御部１３は、ＲＦＩＤ部１９を制御して、アンテナ１８を介して質問電波を周辺に発信し、携帯電話機１０の周辺に位置する携帯電話機のＩＤ情報を受信する（ステップＳ２３）。この処理を行っている最中においては、携帯電話機１０の表示部１７には、図６（ｂ）に示す通り、携帯電話機２０のユーザ（UserA）からの着信があった旨を示す「UserAから着信中」なる表示が行われるとともに、周辺に位置する携帯電話機からＩＤ情報を受信中である旨を示す「ＩＤ情報検索中」なる表示が行われる。尚、携帯電話機１０の周辺には複数の携帯電話機２０以外に他の携帯電話機が位置することもあるため、複数のＩＤ情報が受信されることがある。このため、ここで受信されるＩＤ情報を、便宜上「ＩＤ情報Ｂ群」という。
【００３４】
ステップＳ２３の処理が終了すると、制御部１３は、ステップＳ２２で取得したＩＤ情報Ａが、ステップＳ２３で受信したＩＤ情報Ｂ群に含まれるか否かを判断する（ステップＳ２４）。この判断結果が「ＮＯ」である場合（ＩＤ情報ＡがＩＤ情報Ｂ群に含まれない場合（携帯電話機２０のＩＤ情報が受信されなかった場合を含む））には、ユーザへＩＤ情報Ａが見つからなかった旨を通知する（ステップＳ２５）。例えば、図６（ｄ）に示す通り、表示部１７に「UserAから着信中」なる表示とともに、ＩＤ情報の受信結果として「UserAは見つかりませんでした」なる表示を行う。更に、これらの表示とともに、相手からの着信への応答を行うか否かを指示するための、「応答」ボタンＢ４及び「応答しない」ボタンＢ５とが表示される。
【００３５】
かかる表示を行うと、制御部１３は、ユーザによって「応答」ボタンＢ４及び「応答しない」ボタンＢ５の何れが押圧されたか否か、つまり着信に応答するか否かを判断する（ステップＳ２６）。ユーザによって「応答」ボタンＢ４が押圧されると、ステップＳ２６の判断結果は「ＹＥＳ」となり、制御部１３は、図６（ｆ）に示す通り「UserAと通話中」なる表示を表示部１７に行うとともに、通話動作を開始する制御を行う。一方、ユーザによって「応答しない」ボタンＢ５が押圧されると、制御部１３は、着信に応答せず又は着信を切って、図６（ｅ）に示す通り表示部に通常の待ち受け画面を表示する。尚、着信処理又は通話処理の終了後に、発信先のＩＤ情報が受信されたか否かの結果を着信履歴に追加しても良い。
【００３６】
他方、ステップＳ２４の判断結果が「ＹＥＳ」である場合には、ユーザへＩＤ情報Ａが見つかった旨を通知する（ステップＳ２７）。例えば、図６（ｃ）に示す通り、表示部１７に「UserAから着信中」なる表示とともに、ＩＤ情報の受信結果として「UserAは見つかりました」なる表示を行い、通信相手である携帯電話機２０が周辺に位置することを報知する。更に、これらの表示とともに、相手からの着信への応答を行うか否かを指示するための、「応答」ボタンＢ４及び「応答しない」ボタンＢ５とが表示される。
【００３７】
かかる表示を行うと、制御部１３は、ユーザによって「応答」ボタンＢ４及び「応答しない」ボタンＢ５の何れが押圧されたか否か、つまり着信に応答するか否かを判断する（ステップＳ２６）。ユーザによって「応答」ボタンＢ４が押圧されると、ステップＳ２６の判断結果は「ＹＥＳ」となり、制御部１３は、図６（ｆ）に示す通り「UserAと通話中」なる表示を表示部１７に行うとともに、通話動作を開始する制御を行う。一方、ユーザによって「応答しない」ボタンＢ５が押圧されると、制御部１３は、着信に応答せず又は着信を切って、図６（ｅ）に示す通り表示部に通常の待ち受け画面を表示する。尚、着信処理又は通話処理の終了後に、発信先のＩＤ情報が受信されたか否かの結果を着信履歴に追加しても良い。
【００３８】
〔複数人を相手として発信する場合の動作〕
図７は携帯電話機を用いて複数人を相手として発信する場合に行われる処理を示すフローチャートであり、図８は複数人を相手とした発信時における携帯電話機の表示部の表示内容の遷移を示す図である。尚、以下の説明では、図１に示す携帯電話機１０を用いて不図示の複数の携帯電話機に発信する場合を例に挙げて説明する
【００３９】
ユーザが携帯電話機１０の操作部１６に設けられたテンキーを操作して通話相手の携帯電話機の電話番号を複数入力し、又はアドレス帳の機能を利用して通話相手を複数特定すると、図８（ａ）に示す通り、携帯電話機１０の表示部１７にはユーザによって特定された複数のユーザ名（ここでは、「UserA」〜「UserE」）及び発信ボタンＢ６が表示される。次に、ユーザが操作部１６に設けられた通話キーを押圧し、又はソフトキー等を操作して発信ボタンＢ６を押圧すると発信動作が一時的に規制される。
【００４０】
発信動作が一時的に規制されている状態で、制御部１３は、発信先の電話番号をキーとして記憶部１５を検索し、発信する複数の電話番号に対応するＩＤ情報を取得する（ステップＳ３１）。尚、ここで取得される複数のＩＤ情報を、便宜上「ＩＤ情報Ａ群」という。ＩＤ情報Ａ群を取得すると、制御部１３は、〔１人を相手として発信する場合の動作〕と同様に、ＲＦＩＤ部１９を制御して、アンテナ１８を介して質問電波を周辺に発信し、携帯電話機１０の周辺に位置する携帯電話機のＩＤ情報を受信する（ステップＳ３２）。尚、ここで受信されるＩＤ情報を、便宜上「ＩＤ情報Ｂ群」という。
【００４１】
ステップＳ３２の処理が行われている最中は、図８（ｂ）に示す通り、ユーザにより特定された複数の相手の各々が所持する携帯電話機からのＩＤ情報を受信している旨を示す「UserA  受信中」〜「UserE  受信中」なる表示が表示部１７においてなされる。ステップＳ３２の処理が終了すると、制御部１３は、ステップＳ３１で取得したＩＤ情報Ａ群が、ステップＳ３２で受信したＩＤ情報Ｂ群に全て含まれるか否かを判断する（ステップＳ３３）。この判断結果が「ＮＯ」である場合（ＩＤ情報Ａ群のうちＩＤ情報Ｂ群に含まれないものがある場合）には、ユーザへＩＤ情報Ａ群の検索結果の一覧が通知される（ステップＳ３４）。
【００４２】
例えば、「UserA」〜「UserE」のうちの「UserB」，「UserD」が所持する携帯電話機からのＩＤ情報のみを受信できなかった場合には、図８（ｄ）に示す通り、表示部１７にＩＤ情報Ａ群の検索結果の一覧として、「UserB  は見つかりませんでした」，「UserD  は見つかりませんでした」と表示される。一方、ＩＤ情報が受信された「UserA」，「UserC」，「UserE」に対しては、「UserA  は見つかりました」，「UserC  は見つかりました」，「UserE  は見つかりました」なる表示がそれぞれなされる。検索結果の一覧を表示する場合には、図８（ｄ）に示す通り、ＩＤ情報Ａ群のうちのＩＤ情報Ｂ群に含まれないもの（「UserB」，「UserD」）と、含まれるもの（「UserA」，「UserC」，「UserE」）とをそれぞれまとめて表示し、ＩＤ情報Ａ群のうちのＩＤ情報Ｂ群に含まれないものを含まれるものよりも優先して先に（表示部１７の上方）に表示することが望ましい。
【００４３】
以上の表示がなされると、制御部１３は、ＩＤ情報Ｂ群に含まれていないＩＤ情報Ａ群（図８に示す例では、「UserB」，「UserD」）に対して優先的に発信可能とする制御を行う（ステップＳ３５）。例えば、図８（ｆ）に示す通り、「〜は見つかりませんでした」なる表示がなされている部分の少なくとも何れか１つをハイライト表示又は反転表示し、「〜は見つかりませんでした」なる表示がなされている部分のみを選択可能とする制御を行う。これにより、「〜は見つかりませんでした」なる表示がなされている部分に表示されているユーザへの発信が許可されることになる。尚、ここでは、「〜は見つかりませんでした」なる表示がなされている部分のみを選択可能とする場合を例に挙げて説明するが、「〜は見つかりました」なる表示がなされている部分の選択も可能としても良い。
【００４４】
ユーザが操作部１６を操作して「〜は見つかりませんでした」なる表示がなされている部分の何れか１つを選択すると、選択されたユーザに対する発信動作が行われる。発信動作が行われると、携帯電話機１０の表示部１７には、例えば図８（ｈ）に示す通り「呼出中」なる表示がなされる。そして、選択した相手が電話にでると携帯電話機１０と相手が所持する携帯電話とが通話中になる（ステップＳ３６）。
【００４５】
通話が行われている最中は、現在通話中の相手との通話が終了したか否かが判断される（ステップＳ３７）。この判断結果が「ＮＯ」である場合には通話が継続される（ステップＳ３６）。一方、ステップＳ３７の判断結果が「ＹＥＳ」である場合には、制御部１３は、ＩＤ情報Ａ群を更新する処理を行う（ステップＳ３８）。具体的には、ステップＳ３６で通話を行ったユーザが所持する携帯電話機のＩＤ情報をＩＤ情報Ａ群から除外する処理を行う。次に、携帯電話機１０の制御部１３は、ＩＤ情報Ａ群にＩＤ情報が含まれるか否かを判断する（ステップＳ３９）。この判断結果が「ＮＯ」の場合には一連の処理は終了する。一方、ステップＳ３９の判断結果が「ＹＥＳ」の場合には、処理はステップＳ３２に戻り、再び携帯電話機１０の周辺に位置する携帯電話機のＩＤ情報を受信する処理が行われる。
【００４６】
他方、ステップＳ３３の判断結果が「ＹＥＳ」の場合、即ちステップＳ３１で取得したＩＤ情報Ａ群がステップＳ３２で受信したＩＤ情報Ｂ群に全て含まれる場合には、ユーザへＩＤ情報Ａ群の検索結果の一覧が通知される（ステップＳ４０）。このときには、例えば図８（ｃ）に示す通り、表示部１７にＩＤ情報Ａ群の検索結果の一覧として、「UserA  は見つかりました」〜「UserE  は見つかりました」が表示され、更に、検索された相手への発信を行うか否かを確認する旨の「発信しますか？」なる表示と、「はい」ボタンＢ７及び「いいえ」ボタンＢ８とが表示される。
【００４７】
かかる表示がなされている状態で、制御部１３は、ユーザによって「はい」ボタンＢ７及び「いいえ」の何れが押圧されたか否か、即ちＩＤ情報Ａ群の何れかに発信するか否かを判断する（ステップＳ４１）。ユーザによって「はい」ボタンＢ７が押圧されると、ステップＳ４１の判断結果は「ＹＥＳ」となり、制御部１３は、図８（ｅ）に示す通り、携帯電話機１０の表示部１７に対して「はい」ボタンＢ７及び「いいえ」ボタンＢ８を消去させるとともに「発信開始」ボタンＢ９を表示させ、更に「〜は見つかりました」なる表示がなされている部分の少なくとも何れか１つをハイライト表示又は反転表示させる制御を行う。これにより、「UserA」〜「UserE」のうちの何れかを選択して発信可能な状態になる。
【００４８】
図８（ｅ）に示す表示がなされている状態で、ユーザが操作部１６を操作して「〜は見つかりました」なる表示がなされている部分の少なくとも何れか１つを選択すると、選択されたユーザに対する発信動作が行われる。発信動作が行われると、携帯電話機１０の表示部１７には、例えば図８（ｈ）に示す通り「呼出中」なる表示がなされる。そして、選択した相手が電話にでると携帯電話機１０と相手が所持する携帯電話とが通話中になる（ステップＳ３６）。
【００４９】
携帯電話機１０の表示部１７に、図８（ｃ）に示す表示がなされている状態で、ユーザによって「いいえ」ボタンＢ８が押圧されると、ステップＳ４１の判断結果は「ＮＯ」となる。これにより、一時的に規制した発信動作が停止されて、携帯電話機１０の表示部１７には、図８（ｇ）に示す通り、通常の待ち受け画面が表示され、一連の処理が終了する。
【００５０】
以上説明した通り、１人の相手に発信する場合及び複数人を相手として発信する場合の何れも、ユーザが通話キーを操作すると一時的に発信動作が停止されて周辺に相手の携帯電話機が位置するか否かが検索され、周辺に位置すると判断された場合にはその携帯電話機へ発信するか否かを選択可能としている。このため、例えば、相手の携帯電話機が近くに位置していると判断された場合には、ユーザの選択により発信動作を停止させることができ、これにより通信システムのリソースの無駄な消費及び通信コストの浪費を抑えることができる。また、複数人を相手として発信する場合には、検索されなかった相手の携帯電話機へ優先的に発信可能としているため、効率的に連絡をとることができる。
【００５１】
また、着信があった場合には、着信元（携帯電話機２０）が周辺に位置するか否かを判断し、この判断結果に基づいてユーザが着信に応答するか否かを選択可能としている。これにより、相手の携帯電話機が近くに位置していると判断された場合には、ユーザが着信に応答しないことで着信が規制されて通信システムのリソースの無駄な消費及び通信コストの浪費を抑えることができる。
【００５２】
以上、本発明の実施形態による通信システム及び通信機器装置の動作について説明したが、次に周辺に位置する携帯電話機のＩＤ情報を受信することにより、周辺の携帯電話機を検索する動作（以下、ＩＤ情報受信動作という）について詳細に説明する。尚、ＩＤ情報受信動作は、図３中のステップＳ１２、図５中のステップＳ２３、図７中のステップＳ３２で行われる動作である。ＩＤ情報受信動作は、検索範囲を固定して検索する動作（固定動作）と、検索範囲を可変して検索する動作（自動動作）とに大別される。固定動作では質問電波の電波強度が固定され、自動動作では質問電波の電波強度が可変される。以下、これらの各動作についてそれぞれ説明する。
【００５３】
図９は、ＩＤ情報受信動作の詳細を示すフローチャートである。尚、上述した通り、ＩＤ情報受信動作は、図３中のステップＳ１２、図５中のステップＳ２３、図７中のステップＳ３２で行われる動作であるが、以下の説明では発信時に行われるＩＤ情報受信動作、即ち図３中のステップＳ１２、図７中のステップＳ３２で行われるＩＤ情報受信動作を例に挙げて説明する。
【００５４】
図９に示すフローチャートは、ユーザが固定動作を選択した場合と、自動動作を選択した場合とに大別される。ユーザにより固定動作を行う旨が予め設定されている場合には、制御部１３は固定動作を選択する（ステップＳ５１）。そして、固定動作のための各種初期設定を行う（ステップＳ５２）。ここで行われる初期設定は、例えば検索範囲の設定（質問電波の電波強度の設定）、ＩＤ情報を受信する受信時間等である。これらは予めユーザによって設定されており、ステップＳ５２ではユーザの設定内容を初期値とする処理が行われる。
【００５５】
以上の初期設定が終了すると、制御部１３はＲＦＩＤ部１９を制御してアンテナ１８から質問電波を発信させるとともに、受信時間のカウントを開始する（ステップＳ５３）。次に、制御部１３は、受信時間のカウント値がステップＳ５２で設定した受信時間を越えているか否かを判断する（ステップＳ５４）。この判断結果が「ＮＯ」の場合には、受信したＩＤ情報に発信先の相手が含まれるときには、その発信先の相手の情報を更新する（ステップＳ５５）。例えば、その発信先の相手の情報をＩＤ情報が受信された旨が含まれる情報に更新する。一方、ステップＳ５４の判断結果が「ＹＥＳ」である場合には、制御部１３はＩＤ情報受信処理を終了する。
【００５６】
他方、ユーザにより自動動作を行う旨が予め設定されている場合には、制御部１３は自動動作を選択する（ステップＳ６１）。そして、自動動作のための各種初期設定を行う（ステップＳ６２）。ここで行われる初期設定は、例えば検索範囲の設定（質問電波の最大電波強度Ｓmaxの設定、発信強度を可変させる刻み値ｄ）、ＩＤ情報を受信する受信時間等である。これらは予めユーザによって設定されており、ステップＳ６２ではユーザの設定内容を初期値とする処理が行われる。
【００５７】
以上の初期設定が終了すると、制御部１３はＲＦＩＤ部１９を制御してアンテナ１８から質問電波を発信させるとともに、受信時間のカウントを開始する（ステップＳ６３）。尚、質問電波の発信強度Ｓsendの初期値は最大強度Ｓmaxに設定されているものとする。次に、制御部１３は、受信時間のカウント値がステップＳ６２で設定した受信時間を越えているか否かを判断する（ステップＳ６４）。この判断結果が「ＮＯ」の場合には、発信する質問電波の電波強度Ｓsendが「０」よりも大であるか否かを判断する（ステップＳ６５）。
【００５８】
ステップＳ６５の判断結果が「ＹＥＳ」の場合には、周辺の携帯電話機からＩＤ情報を受信する（ステップＳ６６）。次に、制御部１３は、ステップＳ６６で受信したＩＤ情報に発信先の携帯電話機のＩＤ情報が含まれるか否かを判断する（ステップＳ６７）。この判断結果が「ＹＥＳ」の場合には、ＩＤ情報の発信先の相手の情報を更新する（ステップＳ６８）。例えば、その発信先の相手の情報をＩＤ情報が受信された旨が含まれる情報に更新する。次いで、制御部１３は、発信する質問電波の電波強度を更新する制御を行う（ステップＳ６９）。具体的には、質問電波の発信強度Ｓsendを、現在の質問電波の発信強度Ｓsendから刻み値ｄを減算した強度に更新する。以上の処理が終了すると、ステップＳ６４に戻る。
【００５９】
一方、ステップＳ６５における判断結果が「ＮＯ」の場合（発信する質問電波の電波強度Ｓsendが「０」以下である場合）、又はステップＳ６７の判断結果が「ＮＯ」の場合（ステップＳ６６で受信したＩＤ情報に発信先の携帯電話機のＩＤ情報が含まれていない場合）には、発信する質問電波の電波強度を初期化する（ステップＳ７０）。具体的には、発信する質問電波の電波強度Ｓsendを最大強度Ｓmaxに設定する。この処理が終了すると、ステップＳ６６の処理に進む。他方、ステップＳ６４の判断結果が「ＹＥＳ」の場合、つまり受信時間のカウント値がステップＳ６２で設定した受信時間を越えている場合には、ＩＤ情報受信動作処理は終了する。
【００６０】
次に、図９に示したフローチャートのうちの自動動作の具体例について説明する。図１０は、自動動作の第１例を説明するための図である。いま、図１中の携帯電話機１０が図１０（ａ）中において符号Ａが付された星印の位置に配置されているとする。また、携帯電話機１０の周囲であって、図１０（ａ）中の符号Ｂ〜Ｆが付された星印の位置に発信先の他の５つの携帯電話が配置されているとする。ここで、携帯電話機１０の質問電波の電波強度は、図１０（ｂ）に示す通りＳ１，Ｓ２，Ｓ３（Ｓ１＜Ｓ２＜Ｓ３）の範囲で変化し、各々の電波強度Ｓ１，Ｓ２，Ｓ３での検索範囲は、図１０（ａ）中において符号ｓ１，ｓ２，ｓ３を付した円で示す範囲であるとする。
【００６１】
図９に示したフローチャートの自動動作が開始されると、ステップＳ６２において携帯電話機１０の質問電波の電波強度が最大強度Ｓmax（Ｓ３）に設定され、ステップＳ６６において図１０（ａ）中の符号ｓ３を付した検索範囲内が検索される（図１０（ｂ）中の時刻ｔ０〜ｔ１）。この検索により、図１０（ａ）中において符号Ａが付された星印の位置にある携帯電話機１０は、符号ｓ３が付された検索範囲内に位置する携帯電話機からのＩＤ情報を受信する。つまり、符号Ｂ，Ｄ，Ｅ，Ｆが付された星印の位置にある携帯電話機からのＩＤ情報を受信し、符号Ｃが付された星印の位置にある携帯電話機からのＩＤ情報は受信できない。
【００６２】
これらのＩＤ情報を受信すると、ステップＳ６７，Ｓ６８の処理を順に経て、ステップＳ６９において携帯電話機１０の質問電波の電波強度はＳ２に設定される。この設定後、ステップＳ６４，Ｓ６５を順に経てステップＳ６６において図１０（ａ）中の符号ｓ２を付した検索範囲内が検索される（図１０（ｂ）中の時刻ｔ１〜ｔ２）。この検索により、図１０（ａ）中において符号Ａが付された星印の位置にある携帯電話機１０は、符号ｓ２が付された検索範囲内に位置する携帯電話機、即ち符号Ｂ，Ｅ，Ｆが付された星印の位置にある携帯電話機からのＩＤ情報を受信する。以上の検索結果から、携帯電話機１０の制御部１３は、符号Ｄが付された携帯電話機は、符号ｓ３を付した検索範囲内であって符号ｓ２を付した検索範囲外に位置していると判断することができる。
【００６３】
以上の処理が終了すると、再度ステップＳ６９において携帯電話機１０の質問電波の電波強度が更新されてＳ１に設定される。そして、ステップＳ６６において図１０（ａ）中の符号ｓ１を付した検索範囲内が検索される（図１０（ｂ）中の時刻ｔ２〜ｔ３）。この検索により、図１０（ａ）中において符号Ａが付された星印の位置にある携帯電話機１０は、符号ｓ１が付された検索範囲内に位置する携帯電話機、即ち符号Ｅが付された星印の位置にある携帯電話機のみからのＩＤ情報を受信する。以上の検索結果から、携帯電話機１０の制御部１３は、符号Ｄ，Ｆが付された携帯電話機は、符号ｓ２を付した検索範囲内であって符号ｓ１を付した検索範囲外に位置し、符号Ｅが付された携帯電話機は、符号ｓ１を付した検索範囲内に位置していると判断することができる。
【００６４】
次いで、ステップＳ６９において携帯電話機１０の質問電波の電波強度が更新されるが、質問電波の強度は「０」以下になる。これにより、ステップＳ６５の判断結果が「ＮＯ」となって、ステップＳ７０において発信する質問電波の電波強度が初期化され、その後ステップＳ６６で符号ｓ３が付された検索範囲内が検索される（図１０（ｂ）中の時刻ｔ３〜ｔ４）。以上の処理は、指定された受信時間を越えるまで（ステップＳ６４の判断結果が「ＹＥＳ」になるまで）行われる。以上の処理によって、図１０（ｃ）に示す通り、発信先の携帯電話機がどの程度の距離範囲に位置しているかを示すテーブルを得ることができる。尚、テーブルの順番は、ＩＤ情報を受信できなかったものを最上位に配置し、次に距離が遠い順に並べる。
【００６５】
図１１は、自動動作の第２例を説明するための図である。図１１においても図１０と同様に、図１中の携帯電話機１０が図１１（ａ）中において符号Ａが付された星印の位置に配置されているとする。また、携帯電話機１０の周囲であって、図１１（ａ）中の符号Ｂ〜Ｆが付された星印の位置に発信先の他の５つの携帯電話が配置されているとする。更に、携帯電話機１０の質問電波の電波強度は、図１１（ｂ）に示す通りＳ１，Ｓ２，Ｓ３（Ｓ１＜Ｓ２＜Ｓ３）の範囲で変化し、各々の電波強度Ｓ１，Ｓ２，Ｓ３での検索範囲は、図１１（ａ）中において符号ｓ１，ｓ２，ｓ３を付した円で示す範囲であるとする。
【００６６】
図９に示したフローチャートの自動動作が開始されると、ステップＳ６２において携帯電話機１０の質問電波の電波強度が最大強度Ｓmax（Ｓ３）に設定され、ステップＳ６６において図１１（ａ）中の符号ｓ３を付した検索範囲内が検索される（図１１（ｂ）中の時刻ｔ０〜ｔ１）。この検索により、図１１（ａ）中において符号Ａが付された星印の位置にある携帯電話機１０は、符号ｓ３が付された検索範囲内に位置する携帯電話機からのＩＤ情報を受信する。つまり、符号Ｄ，Ｅ，Ｆが付された星印の位置にある携帯電話機からのＩＤ情報を受信し、符号Ｂ，Ｃが付された星印の位置にある携帯電話機からのＩＤ情報は受信できない。
【００６７】
これらのＩＤ情報を受信すると、ステップＳ６７，Ｓ６８の処理を順に経て、ステップＳ６９において携帯電話機１０の質問電波の電波強度はＳ２に設定される。この設定後、ステップＳ６４，Ｓ６５を順に経てステップＳ６６において図１１（ａ）中の符号ｓ２を付した検索範囲内が検索される（図１１（ｂ）中の時刻ｔ１〜ｔ２）。図１１（ａ）に示す通り、符号ｓ２が付された検索範囲内には他の携帯電話機が位置していないため、携帯電話機１０はＩＤ情報を受信できない。以上の処理により、携帯電話機１０の制御部１３は、制御部１３は、符号Ｄ，Ｅ，Ｆが付された携帯電話機は、符号ｓ３を付した検索範囲内であって符号ｓ３を付した検索範囲外に位置し、符号Ｂ，Ｃが付された携帯電話機は、符号ｓ３を付した検索範囲外に位置していると判断することができる。
【００６８】
ステップＳ６６においてＩＤ情報が受信されなかったため、ステップＳ６７の判断結果は「ＮＯ」となる。これにより、ステップＳ７０において発信する質問電波の電波強度が初期化され、その後ステップＳ６６で符号ｓ３が付された検索範囲内が検索される（図１１（ｂ）中の時刻ｔ２〜ｔ３）。以下、発信する質問電波の強度信号をＳ３又はＳ２に設定したＩＤ受信動作が、指定された受信時間を越えるまで（ステップＳ６４の判断結果が「ＹＥＳ」になるまで）行われる。以上の処理によって、図１１（ｃ）に示す通り、発信先の携帯電話機がどの程度の距離範囲に位置しているかを示すテーブルを得ることができる。尚、テーブルの順番は、ＩＤ情報を受信できなかったものを最上位に配置し、次に距離が遠い順に並べる。
【００６９】
図１２は、自動動作の第３例を説明するための図である。図１２においても図１０，図１１と同様に、図１中の携帯電話機１０が図１２（ａ）中において符号Ａが付された星印の位置に配置されているとする。また、携帯電話機１０の周囲であって、図１２（ａ）中の符号Ｂ〜Ｆが付された星印の位置に発信先の他の５つの携帯電話が配置されているとする。更に、携帯電話機１０の質問電波の電波強度は、図１２（ｂ）に示す通りＳ１，Ｓ２，Ｓ３（Ｓ１＜Ｓ２＜Ｓ３）の範囲で変化し、各々の電波強度Ｓ１，Ｓ２，Ｓ３での検索範囲は、図１２（ａ）中において符号ｓ１，ｓ２，ｓ３を付した円で示す範囲であるとする。
【００７０】
図９に示したフローチャートの自動動作が開始されると、ステップＳ６２において携帯電話機１０の質問電波の電波強度が最大強度Ｓmax（Ｓ３）に設定され、ステップＳ６６において図１２（ａ）中の符号ｓ３を付した検索範囲内が検索される（図１２（ｂ）中の時刻ｔ０〜ｔ１）。この検索により、図１２（ａ）中において符号Ａが付された星印の位置にある携帯電話機１０は、符号ｓ３が付された検索範囲内に位置する携帯電話機からのＩＤ情報を受信する。
【００７１】
しかしながら、図１２（ａ）に示す例では他の携帯電話機の何れも符号ｓ３が付された検索範囲内に位置していないため、ＩＤ情報が受信できない。このため、ステップＳ６７の判断結果は「ＮＯ」となり、以後はステップＳ７０，Ｓ６６，Ｓ６７の処理が指定された受信時間を越えるまで（ステップＳ６４の判断結果が「ＹＥＳ」になるまで）行われる。以上の処理によって、図１２（ｃ）に示す通り、発信先の携帯電話機の全てが圏外にあることを示すテーブルを得ることができる。
【００７２】
以上説明した、自動動作においては、他の携帯電話機が検索されたか否かのみならず、携帯電話機１０と他の携帯電話機との大まかな距離を得ることができる。このため。図８（ｃ），（ｄ）に示すＩＤ受信結果を携帯電話機１０の表示部１７に表示する場合には、その携帯電話機毎の距離が分かる表示とすることが望ましい。図１３は、携帯電話機毎の距離を示す表示例を示す図である。
【００７３】
まず、図１３（ａ）に示した通り、携帯電話機１０のユーザが、「UserA」〜「UserE」を相手として選択し、操作部１６の通話ボタン又は図８（ａ）に示す「発信」ボタンＢ６を押圧すると、図７中のステップＳ３２で自動動作が行われる。この自動受信の結果、図１３（ｂ）に示す通りの検索結果が得られたとする。このときの検索結果としては、図１３（ｃ）に示す通り、「遠くで見つかった」、「近くで見つかった」、「かなり近くで見つかった」なる表現で発信先の携帯電話機との間の距離を表示するのが望ましい。このように、通信相手である携帯電話機が周辺に位置するか否かを報知するだけでなく、当該携帯電話機の位置情報を報知するようにしている。
【００７４】
以上、本発明の実施形態による通信システム及び通信機器装置について説明したが、本発明は上記実施形態に制限されることなく、本発明の範囲内で自由に変更が可能である。例えば、上述した実施形態においては、ＩＤ情報の受信を行って周辺に携帯電話機が位置するか否かを判断していたが、ＧＰＳ（Global Positioning System）から得られる情報を用いて各携帯電話機の位置を判断し、通信が行われる携帯電話機間の距離を検出したり、位置情報を報知しても良い。
【００７５】
また、上記の実施形態ではＩＤ情報の受信を行った携帯電話機が、周辺に発信先の携帯電話機が位置している場合に、自ら発信動作を規制する場合を例に挙げて説明した。しかしながら、通信を行う複数の携帯電話機が互いに周辺に位置するか否かを判断する機能、互いに周辺に位置すると判断された場合に、これらの間の通信を規制する機能、更には携帯電話機間の距離を検出する機能等の各種機能を基地局Ｂ又はネットワークＮに接続されたサーバ装置に設け、これらが携帯電話機間の通信を規制しても良い。
【００７６】
また、発信時又は着信時において、通信が規制される場合には、通信規制が行われる旨を携帯電話機の表示部に表示し、又は音声で報知してユーザに知らせることが好適である。尚、現在の携帯電話機は、通話以外にメールの送受信が可能なものが多いが、通信の規制は通話に対してのみ行っても良く、又はメールの送受信も含めて通信全般に対して行うなど、通信機器装置間での通信を種別して、種別された通信に応じて通信規制を制御するようにしても良い。また、本発明は携帯電話機に限られることなく、ＰＨＳ（Personal Handyphone System）、自動車電話機、その他の通信機器装置にも適用することができる。
【００７７】
また、上記の実施形態では、発信時又は着信時において通信を行う複数の携帯電話機が互いに周辺に位置するか否かを判断する場合を例に挙げて説明した。しかしながら、発信時や着信時だけでなく、通話中にも互いに周辺に位置するか否かを判断し、通信を規制するようにしても良い。
【図面の簡単な説明】
【００７８】
【図１】本発明の実施形態による通信システム及び通信機器装置の概略構成を示す図である。
【図２】携帯電話機１０の要部構成を示すブロック図である。
【図３】携帯電話機を用いて１人の相手に発信する場合に行われる処理を示すフローチャートである。
【図４】１人の相手への発信時における携帯電話機の表示部の表示内容の遷移を示す図である。
【図５】携帯電話機への着信時に行われる処理を示すフローチャートである。
【図６】着信時における携帯電話機の表示部の表示内容の遷移を示す図である。
【図７】携帯電話機を用いて複数人を相手として発信する場合に行われる処理を示すフローチャートである。
【図８】複数人を相手とした発信時における携帯電話機の表示部の表示内容の遷移を示す図である。
【図９】ＩＤ情報受信動作の詳細を示すフローチャートである。
【図１０】自動動作の第１例を説明するための図である。
【図１１】自動動作の第２例を説明するための図である。
【図１２】自動動作の第３例を説明するための図である。
【図１３】携帯電話機毎の距離を示す表示例を示す図である。
【符号の説明】
【００７９】
１０，２０    携帯電話機（通信機器装置）
１２          無線通信部（通信手段）
１３          制御部
１９          ＲＦＩＤ部（周辺機器固有情報取得手段）
Ｂ            基地局
【図１】
2006319795.tif 000003
【図２】
2006319795.tif 000004
【図３】
2006319795.tif 000005
【図４】
2006319795.tif 000006
【図５】
2006319795.tif 000007
【図６】
2006319795.tif 000008
【図７】
2006319795.tif 000009
【図８】
2006319795.tif 000010
【図９】
2006319795.tif 000011
【図１０】
2006319795.tif 000012
【図１１】
2006319795.tif 000013
【図１２】
2006319795.tif 000014
【図１３】
2006319795.tif 000015